(57)【要約】【課題】安価で、小電力で動作する揺動玩具を実現する。【解決手段】所定の軸を中心に揺動する揺動部を有し、（１）電源としてのソーラバッテリ、（２）前記ソーラバッテリで作動する時計用ＩＣ、（３）時計用ＩＣからの電圧パルスによって励磁されるとともに極性を切り替える電磁コイル、（４）前記揺動部に設けられ前記電磁コイルからの電磁力の作用を受ける電磁石、を備える。【選択図】　　　　　図６
2004024494.tif 000002
【特許請求の範囲】
【請求項１】
所定の軸を中心に揺動する揺動部を有し下記の構成を備える揺動玩具。
（１）電源としてのソーラバッテリ
（２）前記ソーラバッテリで作動する時計用ＩＣ
（３）　時計用ＩＣからの電圧パルスによって励磁されるとともに極性を切り替える電磁コイル
（４）前記揺動部に設けられ前記電磁コイルからの電磁力の作用を受ける電磁石
【請求項２】
前記所定の軸の少なくとも両端部が角形に構成され、前記両端部の外周の隣接する２面によって形成される稜線部分が下方からばねによって点接触状態で支持されていることを特徴とする請求項１記載の揺動玩具。
【請求項３】
前記所定の軸の少なくとも両端部が角形に構成され、前記両端部の外周の隣接する２面と、前記所定の軸の端面とによって形成されるとがりの先端で点接触するばねを備え、当該ばねによって前記軸の軸方向移動が抑止されるように構成されていることを特徴とする請求項１又は請求項２記載の揺動玩具。
【発明の詳細な説明】
【０００１】
【発明の属する技術分野】
本発明は、揺動玩具に関するもので、詳しくは、安価でかつ省エネに資する揺動玩具に関するものである。
【０００２】
【従来の技術】
従来、様々な揺動玩具が知られている。この揺動玩具として、乾電池やボタン電池を電源とし、モータを動力源としたものが知られている。この揺動玩具では、揺動部の軸を単に軸穴で受けるものや、軸の軸方向移動を防止するため、軸の両端面を軽く挟み込むようにしているのが一般的である。
【０００３】
【発明が解決しようとする課題】
しかし、乾電池やボタン電池を電源とするものでは、電池切れの場合に交換が面倒であるばかりか、電池代が嵩むという問題がある。また、モータを動力源とするものでは、モータが高価あるという問題がある。さらに、揺動部の軸を単に軸穴で受けるものや、軸の両端を軽く挟み込むものでは、揺動の際の軸受けからの抵抗が大きく、消費電力が大きいという問題がある。
【０００４】
本発明は、かかる問題点に鑑みなされたもので、安価で、小電力で動作する揺動玩具を提供することを目的とする。
【０００５】
【課題を解決するための手段】
請求項１記載の揺動玩具は、所定の軸を中心に揺動する揺動部を有し、（１）電源としてのソーラバッテリ、（２）前記ソーラバッテリで作動する時計用ＩＣ、（３）時計用ＩＣからの電圧パルスによって励磁されるとともに極性を切り替える電磁コイル、（４）前記揺動部に設けられ前記電磁コイルからの電磁力の作用を受ける電磁石、を備えることを特徴とする。
この揺動玩具によれば、ソーラバッテリを使用するので、交換が必要な電池が不要となり、その分の維持費が不要となる。また、通常のＩＣに比べて安価な時計用ＩＣを使用するので、その分、価格を低減することができる。
【０００６】
請求項２記載の揺動玩具は、請求項１記載の揺動玩具において、前記所定の軸の少なくとも両端部が角形に構成され、前記両端部の外周の隣接する２面によって形成される稜線部分が下方からばねによって点接触状態で支持されていることを特徴とする。
この揺動玩具によれば、軸の両端部の稜線部分を中心に揺動がなされるので、揺動の際の抵抗が少なく、小電力でもって揺動動作をさせることが可能となる。
【０００７】
請求項３記載の揺動玩具は、請求項１または請求項２記載の揺動玩具において、前記所定の軸の少なくとも両端部が角形に構成され、前記両端部の外周の隣接する２面と、前記所定の軸の端面とによって形成されるとがりの先端で点接触するばねを備え、当該ばねによって前記軸の軸方向移動が抑止されるように構成されていることを特徴とする。
この揺動玩具によれば、軸の両端のとがり先端で点接触するばねによって、前記軸の軸方向移動が抑止されるので、揺動の際の抵抗が少なく、小電力でもって揺動動作をさせることが可能となる。
【０００８】
【発明の実施の形態】
１．全体構成
揺動玩具１００は、図１に示すように、ベース１０および人形体２０を備えている。
このうちベース１０は丘や野原を表現したもので椀形に形成されている。また、ベース１０の前側には階段１１が形成され、この階段１１の踏み板部分にはソーラバッテリが埋め込まれている。さらに、図示はしないが、ベース１０の裏側には電源スイッチが設けられている。この電源スイッチ１０は特に設けなくてもよい。
一方、人形体２０は大人の人形２１と子供の人形２２から構成されている。このうち大人の人形２１はベース１０の上に着座した形状とされ、子供の人形２２は大人の人形２１に寄りかかった形状とされている。また、大人の人形２１は頭部２１ｂが胴部２１ａに対して左右に揺動するように構成されている。
【０００９】
２．内部構造
図２および図３に示すように、揺動玩具１００の内部には振り子３０が設置されている。この振り子３０は、胴部２１ａに支持された軸３１を中心に左右に揺動可能となっている。振り子３０は上側部分で頭部２１ｂに固定され、一方、下側部分には永久磁石３２が付設されている。永久磁石３２は円筒状に構成され、Ｎ極またはＳ極のいずれか一方が正面を向くように振り子３０に付設されている。
また、揺動玩具１００の内部には電磁コイル３３が設置されている。電磁コイル３３は、その中心線が振り子３０の揺動面に直交する方向に延在するように、設置されている。電磁コイル３３の設置場所は人形２１の腹裏で、かつ、垂下位置にある振り子３０の永久磁石３２の中心に対して図上で左側に偏った場所である。
なお、人形２１の左右の手２３、２３は胴部２１ａ内に延び、そこで固定されている。
【００１０】
３．軸３１の支持構造
図４および図５に示すように、軸３１の両端部３１ａ、３１ａは角棒状に構成されている。そして、この軸３１の両端部３１ａ、３１ａは胴部２１ａに設けられた円穴３５、３５に挿入されている。胴部２１ａにおいて円穴３５、３５近くにはそれぞれねじりコイルばね３６が設けられ、両ねじればね３６、３６の一端部は軸３１の両端部３１ａ、３１ａの角部（軸外周の隣接する２つの面で形成される稜線）に下方から点接触して軸３１を支持している。
また、図２および図４に示すように、胴部２１ａにおいて軸３１の両端近くにはそれぞれ板ばね３７が設けられている。両板ばね３７は軸３１の両端角部（軸外周の隣接する２つの面と軸端面で形成されるとがりの先端）に下方から点接触している。両板ばね３７は軸３１の軸方向の移動を抑止する働きをする。
【００１１】
４．内部回路
揺動玩具１００の内部には、図６に示す時計用ＩＣ４０が設置されている。時計用ＩＣはソーラバッテリ４２を電源とし、ソーラバッテリ４２に蓄電された電力によって水晶振動子４１が作動する。時計用ＩＣ４０には前記電磁コイル３３が接続され、この電磁コイル３３は時計用ＩＣ４０からの電圧パルスによって励磁される。この場合、電磁コイル３３の両端には時計用ＩＣから交互に電圧パルスが印加される。その結果、電磁コイル３３において前記永久磁石３２に対峙する部分がＮ極となったりＳ極となったりし、この極性の切替えによって振り子３０は左右に動作する。
なお、電磁コイル３３には直列に抵抗４３が設けられている。抵抗４３を設けた理由は次の通りである。すなわち、電磁コイル３３は電流の流れ始めには抵抗値が小さく、ソーラバッテリ４２の蓄電の始めにおいて電力が即座に消費されてしまい振り子３０が揺動しない場合があり、このような事態を防止するためである。
【００１２】
５．動作
揺動玩具１００は明るい場所に置かれると、ソーラバッテリ４２が蓄電され、その蓄電した電力によって時計用ＩＣ４０から電圧パルスが出力され、電磁コイル３３が励磁される。この場合、電磁コイル３３は極性を切り替え、その電磁力によって振り子３０ひいては頭部２ｂが左右に揺動する。
【００１３】
以上、本発明の実施の形態について説明したが、本発明は、かかる実施の形態に限定されるものではなく、その発明の要旨を変更しない範囲で種々変形可能であることはいうまでもない。
【００１４】
【発明の効果】
本発明の代表的なものの効果を説明すれば、所定の軸を中心に揺動する揺動部を有し、（１）電源としてのソーラバッテリ、（２）前記ソーラバッテリで作動する時計用ＩＣ、時計用ＩＣからの電圧パルスによって励磁されるとともに極性を切り替える電磁コイル、（３）前記揺動部に設けられ前記電磁コイルからの電磁力の作用を受ける電磁石、を備えるので、安価で省エネに適した揺動玩具が実現できる。
【図面の簡単な説明】
【図１】本発明に係る揺動玩具の一実施の形態を示した斜視図である。
【図２】揺動玩具を側面側から見た場合の断面図である。
【図３】揺動玩具を正面側から見た場合の断面図である。
【図４】軸の支持構造を示す斜視図である。
【図５】軸の軸方向移動を抑止する構造を示す斜視図である。
【図６】内部回路図である。
【符号の説明】
１００　　揺動玩具
１０　　　ベース
２０　　　人形体
３０　　　振り子
３２　　　永久磁石
３３　　　電磁コイル
４０　　　時計用ＩＣ
【図１】
2004024494.tif 000003
【図２】
2004024494.tif 000004
【図３】
2004024494.tif 000005
【図４】
2004024494.tif 000006
【図５】
2004024494.tif 000007
【図６】
2004024494.tif 000008